(57)【特許請求の範囲】
【請求項１】
棒状部を有するメカニカルキー（２０、２０Ａ、２０Ｂ、２０Ｃ）と、
前記メカニカルキーを、前記棒状部の軸方向に抜き差し可能に収納するケース（１０、１０Ｂ）と、
前記ケースに設けられ、前記メカニカルキーが前記ケースから抜け落ちることを抑制するための抑制部材（３１、３１Ａ、３１Ｂ、３１Ｃ）とを備えた電子キーであって、
前記メカニカルキーは、前記抑制部材により前記ケースから抜け落ちることが抑制されているロック状態において前記棒状部の軸方向に垂直な平面であるキー側係合平面（２１４、２１６、２１７、２２１Ｂ、２２３Ｃ、２２４Ｃ）を備え、
前記抑制部材は、前記ロック状態において前記棒状部の軸方向に垂直な平面であって、前記キー側係合平面と係合するロック側係合平面（３１４２、３１４３、３１４５、３１６Ｂ、３１７Ｂ、３１７Ｃ）を備え、
前記キー側係合平面および前記ロック側係合平面の少なくとも一方は、前記メカニカルキーの前記棒状部の軸方向における位置が異なり、かつ、前記キー側係合平面および前記ロック側係合平面のうちの他方と係合可能な複数の係合平面を備える段差平面構造になっている電子キー。
【請求項２】
請求項１において、
前記抑制部材（３１、３１Ａ）は、前記ケースに収容された状態の前記メカニカルキーの前記棒状部の軸方向に対して垂直方向に移動可能である電子キー。
【請求項３】
請求項１または２において、
前記ロック側係合平面が前記段差平面構造になっている一方で、前記キー側係合平面は前記ロック側係合平面と係合する平面が一つであり、
前記メカニカルキー（２０）は、前記棒状部と連結し、かつ、前記ケースから少なくとも一部がユーザにより把持可能に露出するグリップ部（２１）を備え、
前記グリップ部に前記キー側係合平面が備えられる電子キー。
【請求項４】
請求項１または２において、
前記キー側係合平面は前記段差平面構造になっている一方で、前記ロック側係合平面は前記キー側係合平面と係合する平面が一つであり、
前記メカニカルキー（２０）は、前記棒状部と連結し、かつ、前記ケースから少なくとも一部がユーザにより把持可能に露出するグリップ部（２１）を備え、
前記グリップ部に前記キー側係合平面が備えられる電子キー。
【請求項５】
請求項１において、
前記抑制部材（３１Ｂ、３１Ｃ）は、揺動軸周りに揺動可能であり、
前記ロック側係合平面（３１６Ｂ、３１７Ｂ、３１７Ｃ）は、前記抑制部材の揺動角度により前記メカニカルキーの前記棒状部の軸方向に対する角度が変化し、前記ロック状態において前記棒状部の軸方向に垂直になる電子キー。
【請求項６】
請求項１または５において、
前記ロック側係合平面が前記段差平面構造になっている一方で、前記キー側係合平面は前記ロック側係合平面と係合する平面が一つであり、
前記メカニカルキー（２０Ｂ）は、前記棒状部の先端部に前記キー側係合平面を備える電子キー。
【請求項７】
請求項１または５において、
前記キー側係合平面が前記段差平面構造になっている一方で、前記ロック側係合平面は前記キー側係合平面と係合する平面が一つであり、
前記メカニカルキー（２０Ｃ）は、前記棒状部の先端部に前記キー側係合平面を備える電子キー。
【請求項８】
請求項１、２、５のいずれか１項において、
前記段差平面構造になっている複数の係合平面であって、互いに隣り合う２つの前記係合平面の間を連結する連結面（３１４４、２１８、２２５Ｃ）が、前記棒状部の軸方向に対して傾斜している電子キー。
【請求項９】
請求項３、４、６、７のいずれか１項において、
前記段差平面構造になっている複数の係合平面であって、互いに隣り合う２つの前記係合平面の間を連結する連結面（３１４４、２１８、２２５Ｃ）が、前記棒状部の軸方向に対して傾斜している電子キー。
【請求項１０】
請求項１、２、５、８のいずれか１項において、
前記キー側係合平面および前記ロック側係合平面の一方は、前記段差平面構造になっている一方で、前記キー側係合平面および前記ロック側係合平面の他方は、前記キー側係合平面および前記ロック側係合平面の一方と係合する平面が一つである電子キー。
【発明の詳細な説明】
【技術分野】
【０００１】
本発明は、ドアを開閉する遠隔制御システム等に用いられる、メカニカルキー付きの電子キーに関する。
【背景技術】
【０００２】
電子キーは、電池が切れた場合でも、ドアの開閉等ができるようにするためにメカニカルキーがケースに収容されていることがある。一般的に、メカニカルキーは、棒状部を備え、この棒状部が電子キーのケースに収容される。
【０００３】
特許文献１に開示されているように、ケースは、メカニカルキーを、その棒状部の軸方向に抜き差し可能に収納することが多い。そして、ケースには、メカニカルキーがケースから抜け落ちることを抑制するためのロック機構が備えられる。
【０００４】
特許文献１のロック機構は、スライド部を備えている。スライド部が、メカニカルキーであるエマージェンシーキーがケースから抜け落ちることを抑制しているロック状態では、スライド部の先端部が、エマージェンシーキーが備える窪み部に嵌り込む。
【０００５】
より詳しくは、上記ロック状態では、スライド部の先端部に形成されたスロープ部が、エマージェンシーキーが備える窪み部の開口に形成された傾斜面と係合する。
【先行技術文献】
【特許文献】
【０００６】
【特許文献１】特開２０１４−１１１８５７号公報
【発明の概要】
【発明が解決しようとする課題】
【０００７】
特許文献１では、ロック状態で、互いに係合するロック機構側の面とエマージェンシーキー側の面は、エマージェンシーキーの棒状部の軸方向に対して傾斜している。互いに係合する２つの面が、エマージェンシーキーの棒状部の軸方向に対して傾斜しているので、エマージェンシーキーはロック状態でも、ある程度、エマージェンシーキーの棒状部の軸方向に移動可能である。そのため、ゴミ等の存在により、エマージェンシーキーがケースの最も奥の位置まで入らないとしても、ロック機構はエマージェンシーキーをロック状態とすることができる。
【０００８】
したがって、特許文献１の機構では、ゴミ等の存在により、エマージェンシーキーがケースに十分に差し込まれていなくても、エマージェンシーキーがケースから抜け落ちることを抑制できる。
【０００９】
しかし、ロック状態で、互いに係合するロック機構側の面とエマージェンシーキー側の面が、エマージェンシーキーの棒状部の軸方向に対して傾斜していると、ロック状態でも、エマージェンシーキーが引っ張られた場合に、スライド部が棒状部から離隔する方向への力が、エマージェンシーキーからスライド部に作用する。これにより、スライド部は棒状部から離隔する方向に移動させられるので、スライド部の先端部に形成された平面部が、エマージェンシーキーの窪み部に形成された当接面と当接する状態となるまで、エマージェンシーキーは、棒状部の軸方向に移動する。
【００１０】
つまり、特許文献１では、ロック状態でも、エマージェンシーキーが引っ張られると、エマージェンシーキーの棒状部の軸方向におけるスロープ部の長さ分だけ、エマージェンシーキーにがたつきが生じる可能性がある。
【００１１】
本発明は、この事情に基づいて成されたものであり、その目的とするところは、メカニカルキーが引っ張られた際のがたつきを抑制しつつも、ゴミ等により、メカニカルキーがケースに十分に差し込まれていないときでも、ケースからメカニカルキーが抜け落ちることを抑制できる電子キーを提供することにある。
【課題を解決するための手段】
【００１２】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【００１３】
上記目的を達成するための本発明は、棒状部を有するメカニカルキー（２０、２０Ａ、２０Ｂ、２０Ｃ）と、メカニカルキーを、棒状部の軸方向に抜き差し可能に収納するケース（１０、１０Ｂ）と、ケースに設けられ、メカニカルキーがケースから抜け落ちることを抑制するための抑制部材（３１、３１Ａ、３１Ｂ、３１Ｃ）とを備えた電子キーであって、メカニカルキーは、抑制部材によりケースから抜け落ちることが抑制されているロック状態において棒状部の軸方向に垂直な平面であるキー側係合平面（２１４、２１６、２１７、２２１Ｂ、２２３Ｃ、２２４Ｃ）を備え、
抑制部材は、ロック状態において棒状部の軸方向に垂直な平面であって、キー側係合平面と係合するロック側係合平面（３１４２、３１４３、３１４５、３１６Ｂ、３１７Ｂ、３１７Ｃ）を備え、キー側係合平面およびロック側係合平面の少なくとも一方は、メカニカルキーの棒状部の軸方向における位置が異なり、かつ、キー側係合平面およびロック側係合平面のうちの他方と係合可能な複数の係合平面を備える段差平面構造になっている。
【００１４】
本発明によれば、キー側係合平面およびロック側係合平面の少なくとも一方は、メカニカルキーの棒状部の軸方向における位置（以下、軸方向位置）が異なる複数の係合平面を備える。これら複数の係合平面は、他方の係合平面と係合可能である。
【００１５】
複数の係合平面は、軸方向位置が異なっており、複数の係合平面が他方の係合平面と係合可能であるので、メカニカルキーの軸方向位置が異なっていても、いずれかの係合平面が他方の係合平面と係合する可能性がある。よって、ゴミ等により、メカニカルキーが完全には差し込まれていないときでも、メカニカルキーの抜け落ちを抑制できる。
【００１６】
また、係合平面は、棒状部の軸方向に垂直になっているので、ロック状態のままメカニカルキーが軸方向に引っ張られた場合でも、特許文献１と異なり、ロック側係合平面が棒状部から離隔する方向に移動してしまい、それにより、ケースから抜ける方向にメカニカルキーが移動してしまうことはない。よって、メカニカルキーが引っ張られた際のがたつきも抑制できる。
【図面の簡単な説明】
【００１７】
【図１】第１実施形態の電子キー１の平面図である。
【図２】図１の電子キー１を厚さ方向の中央で切断した断面図である。
【図３】図２のロック部３０の付近を拡大した断面図である。
【図４】メカニカルキー２０が差し込まれる途中の状態を示す図である。
【図５】メカニカルキー２０が差し込まれていき最初にロック状態となった状態を示す図である。
【図６】異物４があってもロック状態が可能であることを示す図である。
【図７】第２実施形態の電子キー１Ａの断面図である。
【図８】図７のロック部３０Ａの付近を拡大した断面図である。
【図９】第２実施形態において、メカニカルキー２０Ａがケース１０に完全に収納された状態におけるロック部３０Ａの付近の拡大断面図である。
【図１０】第３実施形態の電子キー１Ｂの断面図である。
【図１１】図１０のロック部３０Ｂの付近を拡大した断面図である。
【図１２】メカニカルキー２０Ｂが差し込まれていき最初にロック状態となった状態を示す図である。
【図１３】図１２の状態におけるグリップ部２１Ｂの付近を示す図である。
【図１４】第４実施形態の電子キー１Ｃのロック部３０Ｃの付近の拡大断面図である。
【図１５】メカニカルキー２０Ｃが差し込まれていき最初にロック状態となった状態を示す図である。
【発明を実施するための形態】
【００１８】
以下、本発明の実施形態を図面に基づいて説明する。図１は、第１実施形態の電子キー１の平面図である。この電子キー１は、車両のドアロックを解錠状態から施錠状態、あるいは、その反対に施錠状態から解錠状態に切り替えさせるための信号を、車両に備えられている受信機に送信する。なお、図１では、電子キー１のスイッチ部など一部の構造は省略している。
【００１９】
［外観構成］
図１に示すように、電子キー１の平面形状は、角が丸くなっている四角形状である。ケース１０の平面形状は、一つの角部が欠けた形状であり、その欠けている部分に、メカニカルキー２０のグリップ部２１が位置する。よって、グリップ部２１は、ケース１０から露出している。
【００２０】
グリップ部２１に隣接してケース１０から突き出しているのは、リリースフック３１の突起部３１２である。電子キー１の厚さは、図１に示す縦方向長さ、および、横方向長さよりも短い。つまり、電子キー１は扁平な形状である。
【００２１】
［内部概略構成］
図２に電子キー１の内部構造を示す。ケース１０は、樹脂製であり、相対的に短辺となる壁部である短壁部１１１、１１２と、これら短壁部１１１、１１２よりも長い長壁部１１３、１１４を備える。これら、短壁部１１１、１１２と長壁部１１３、１１４、および、底部１２０と底部１２０に対向する図示しない蓋部とにより形成される空間に、電子部品が収納される。なお、図２では電子部品は省略している。
【００２２】
メカニカルキー２０は、グリップ部２１と棒状部２２とを備える。グリップ部２１は、ケース１０と同じ樹脂で作られている。グリップ部２１には、貫通穴２１１が形成されており、この貫通穴２１１に、キーホルダ用のリングなどが挿し通される。
【００２３】
棒状部２２は、金属製であり、キー溝および鍵山の少なくとも一方が形成されている。棒状部２２は基部がグリップ部２１に差し込まれている。メカニカルキー２０の棒状部２２を、車両ドアのキーシリンダに差し込むことでも、車両のドアロックを解錠状態から施錠状態、あるいは、施錠状態から解錠状態に切り替えることができる。
【００２４】
ケース１０の長壁部１１３には、メカニカルキー２０の棒状部２２を収容する収容穴１３０が形成されている。メカニカルキー２０の棒状部２２が収容穴１３０に収容された状態が、メカニカルキー２０がケース１０に収納された状態である。棒状部２２が収容穴１３０に正常な位置まで収容された状態では、グリップ部２１の、棒状部２２が突き出している側の面である平面状のケース当接面２１２が、ケース１０のグリップ対向面１１５に接触する。
【００２５】
メカニカルキー２０がケース１０に収納された状態では、メカニカルキー２０がケース１０から抜け落ちることを抑制する必要がある。そのため、ケース１０には、ロック部３０も収容されている。ロック部３０は、ケース１０の短壁部１１１に形成されたロック部収容空間１１６に収容されている。
【００２６】
［ロック部３０の構成］
ロック部３０の構成および、グリップ部２１のうち、ロック部３０に関連する構成を、図３を用いて説明する。グリップ部２１には、ケース当接面２１２側の端に、ロック部３０の方向に突き出す突起２１３が形成されている。この突起２１３のケース外側の面は、ロック部３０と係合する係合平面２１４になっている。係合平面２１４はキー側係合平面に相当する。
【００２７】
係合平面２１４は、メカニカルキー２０の棒状部２２の軸方向、換言すれば、メカニカルキー２０の抜き差し方向に垂直な平面である。なお、以下の記載におけるキー抜き差し方向は、メカニカルキー２０の抜き差し方向を意味する。
【００２８】
ロック部３０は、リリースフック３１と、バネ３２と、ケース１０に形成されているストッパ部３３とを備えている。リリースフック３１は、図３に示す位置では、メカニカルキー２０のグリップ部２１が、ケース１０から離隔する方向に移動することを抑制する。メカニカルキー２０のグリップ部２１がケース１０から離隔する方向に移動することを、リリースフック３１が抑制している状態が、ロック状態である。このリリースフック３１も樹脂製である。
【００２９】
抑制部材に相当するリリースフック３１は、中央部３１１、突起部３１２、外側ガイド部３１３、先端部３１４を備える。中央部３１１はリリースフック３１の中央の部分であり、バネ当接面３１１１を備える。バネ当接面３１１１には、バネ３２の一方の端部が当接している。バネ３２の他端は、ケース１０に形成された、バネ当接面３１１１に対向する面である支持面１１９に支持されている。このバネ３２により、リリースフック３１は、グリップ部２１に近づく方向に付勢される。バネ３２は、圧縮コイルバネである。なお、図２〜図４においては、バネ３２は、簡略化して表している。
【００３０】
また、中央部３１１は、バネ当接面３１１１とは反対側に、ストッパ当接面３１１２を備える。リリースフック３１がグリップ部２１に近づく方向に移動すると、ストッパ当接面３１１２は、ストッパ部３３に形成されたフック当接面３３１に接触する。ストッパ当接面３１１２とフック当接面３３１とが接触することで、リリースフック３１が、それ以上、グリップ部２１の方向に移動することが阻止される。
【００３１】
突起部３１２は、中央部３１１のバネ当接面３１１１の付近において中央部３１１と連結して、中央部３１１からケース外側方向に突き出している。突起部３１２は、ユーザにより操作可能なように、先端がケース１０から突き出しており、突起部３１２をバネ３２の付勢力に抗する方向に移動させると、ロック状態が解除され、メカニカルキー２０をケース１０から抜き出すことができる。
【００３２】
外側ガイド部３１３は、中央部３１１のバネ当接面３１１１から、ケース１０の支持面１１９の方向に突き出している。この外側ガイド部３１３は、ケース１０に形成された外側ガイド面１１７に接触しつつ移動する。また、中央部３１１の底面３１１３は、ケース１０に形成された内側ガイド面１１８に接触する。この構成により、リリースフック３１の移動方向は、外側ガイド面１１７および内側ガイド面１１８に沿った方向に制限される。その結果、リリースフック３１の移動可能方向は、メカニカルキー２０の抜き差し方向に対して垂直方向になる。
【００３３】
先端部３１４は、中央部３１１から、バネ当接面３１１１とは反対の方向となるグリップ部２１の方向に突き出している。先端部３１４は、外側傾斜面３１４１、第１係合平面３１４２、第２係合平面３１４３、内側傾斜面３１４４を備える。
【００３４】
外側傾斜面３１４１は、グリップ部２１に近くなるほど、キー抜き差し方向の位置が、ケース当接面２１２に近くなる傾斜となっている。
【００３５】
第１係合平面３１４２および第２係合平面３１４３は、キー抜き差し方向に垂直な平面である。第１係合平面３１４２は、第２係合平面３１４３よりも、リリースフック３１の先端側に形成されている。換言すれば、第１係合平面３１４２は、第２係合平面３１４３よりも、グリップ部２１においてリリースフック３１側の側面であるフック対向側面２１５に近い位置に形成されている。
【００３６】
また、第１係合平面３１４２と第２係合平面３１４３とは、キー抜き差し方向の位置も異なる。第１係合平面３１４２は、第２係合平面３１４３よりも、キー抜き差し方向においてキー抜き取り方向（つまり、ケース１０の外周側）に位置する。
【００３７】
これら、第１係合平面３１４２と第２係合平面３１４３は、いずれもロック側係合平面であり、第１係合平面３１４２と第２係合平面３１４３との間にキー抜き差し方向の段差があるので、本実施形態のロック側係合平面は段差平面構造になっている。
【００３８】
連結面に相当する内側傾斜面３１４４は、第１係合平面３１４２と第２係合平面３１４３とを連結している平面である。内側傾斜面３１４４は、外側傾斜面３１４１とは反対に、グリップ部２１のフック対向側面２１５に近くなるほど、キー抜き差し方向の位置が、ケース当接面２１２から遠くなる傾斜となっている。
【００３９】
［キー差し込み時の作動］
次に、メカニカルキー２０をケース１０に差し込む際の作動を説明する。メカニカルキー２０がケース１０に差し込まれていくと、ケース当接面２１２が、リリースフック３１の先端部３１４に形成された外側傾斜面３１４１に接触する。ケース当接面２１２が外側傾斜面３１４１に接触した状態で、メカニカルキー２０がさらにキー差し込み方向に移動すると、ケース当接面２１２が外側傾斜面３１４１を押圧する。これにより、リリースフック３１は、中央部３１１のストッパ当接面３１１２がストッパ部３３のフック当接面３３１に接触した状態から、図４に示すように、バネ３２を圧縮する方向に移動する。
【００４０】
さらに、グリップ部２１がキー差し込み方向に移動すると、グリップ部２１の係合平面２１４と、リリースフック３１の先端部３１４に形成されている第１係合平面３１４２のキー抜き差し方向の位置が一致する。リリースフック３１はバネ３２によりグリップ部２１の方向に付勢されているので、係合平面２１４と第１係合平面３１４２のキー抜き差し方向の位置が一致すると、リリースフック３１はグリップ部２１の方向に移動する。これにより、図５に示すように、係合平面２１４と第１係合平面３１４２が互いに接触する状態となるので、メカニカルキー２０は、ケース１０から抜け落ちることが抑制される。
【００４１】
図５に示す状態では、まだ、グリップ部２１のケース当接面２１２とケース１０のグリップ対向面１１５との間に隙間が存在する。したがって、図６に示すように、ケース当接面２１２とグリップ対向面１１５との間に、ゴミなどの異物４が存在していても、ロック状態とすることができる。
【００４２】
図５に示す状態から、さらにメカニカルキー２０がキー差し込み方向に移動すると、係合平面２１４の端と内側傾斜面３１４４が接触しつつ、係合平面２１４の端が内側傾斜面３１４４に接触する位置が、第２係合平面３１４３の方向に移動する。
【００４３】
そして、ケース当接面２１２とグリップ対向面１１５とが接触する状態では、係合平面２１４と第２係合平面３１４３のキー抜き差し方向の位置が一致する。したがって、リリースフック３１は図５の位置からさらにグリップ部２１の方向に移動し、図３に示す状態となる。図３に示す状態では、リリースフック３１の第２係合平面３１４３と、グリップ部２１の係合平面２１４とが接触する。この図３に示す状態もロック状態であり、図３に示す状態では、図５に示す状態と異なり、グリップ部２１の先端は、ケース１０から突き出していないことから、図５の状態よりもデザイン性が向上する。
【００４４】
［第１実施形態のまとめ］
以上、説明した第１実施形態では、リリースフック３１は、グリップ部２１の係合平面２１４と係合できる第１係合平面３１４２、第２係合平面３１４３を備える。第１係合平面３１４２および第２係合平面３１４３は、キー抜き差し方向の位置が異なっており、かつ、これら第１係合平面３１４２と第２係合平面３１４３は、いずれも、グリップ部２１の係合平面２１４と係合可能である。
【００４５】
したがって、ゴミ等の異物４が存在して、メカニカルキー２０が完全には収容穴１３０に差し込まれていないときでも、第２係合平面３１４３が係合平面２１４と係合すれば、メカニカルキー２０の抜け落ちを抑制できる。
【００４６】
また、係合平面２１４、第１係合平面３１４２、第２係合平面３１４３は、キー抜き差し方向に垂直な平面である。よって、ロック状態でメカニカルキー２０がキー抜き取り方向に引っ張られた場合に、リリースフック３１がメカニカルキー２０の棒状部２２から離隔する方向に移動し、それにより、ケース１０から抜ける方向にメカニカルキー２０が移動してしまうことはない。よって、メカニカルキー２０が引っ張られた際のがたつきも抑制できる。
【００４７】
また、本実施形態では、第１係合平面３１４２と第２係合平面３１４３との間は、内側傾斜面３１４４となっている。したがって、グリップ部２１の係合平面２１４が、第１係合平面３１４２と係合している状態から第２係合平面３１４３と係合する状態まで、メカニカルキー２０をケース１０に差し込む際に必要な力が少なくて済む。
【００４８】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００４９】
第２実施形態の電子キー１Ａは、図７に示す構成を備えている。この電子キー１Ａは、メカニカルキー２０Ａのグリップ部２１Ａが備えている突起２１３Ａの構成と、ロック部３０Ａが備えるリリースフック３１Ａの先端部３１４Ａの構成が、それぞれ、第１実施形態の突起２１３、先端部３１４と相違する。これら第１実施形態と相違する構成を、図８を用いて説明する。
【００５０】
［第１実施形態と相違する構成の説明］
図８に示すように、グリップ部２１Ａが備えている突起２１３Ａは、グリップ部２１Ａのケース当接面２１２側の端において、ロック部３０Ａの方向に突き出している。
【００５１】
この突起２１３Ａのケース外側の面には、ロック部３０と係合する第１係合平面２１６と第２係合平面２１７が形成されている。第１係合平面２１６、第２係合平面２１７は、いずれも、キー抜き差し方向に垂直な平面である。
【００５２】
第１係合平面２１６は、第２係合平面２１７よりも、リリースフック３１Ａに近い側に形成されている。換言すれば、第１係合平面２１６は、第２係合平面２１７よりも、グリップ部２１Ａの外側、つまり、フック対向側面２１５から遠い位置に形成されている。
【００５３】
また、第１係合平面２１６と第２係合平面２１７とは、キー抜き差し方向の位置も異なる。第１係合平面２１６は、第２係合平面２１７よりも、キー抜き差し方向においてキー差し込み方向に位置する。
【００５４】
これら第１係合平面２１６と第２係合平面２１７は、いずれもキー側係合平面であり、第１係合平面２１６と第２係合平面２１７との間にキー抜き差し方向の段差があるので、第２実施形態ではキー側係合平面が段差平面構造になっている。
【００５５】
これら第１係合平面２１６、第２係合平面２１７との間は、連結面２１８により連結されている。連結面２１８は、フック対向側面２１５に近くなるほど、キー抜き差し方向の位置が、ケース当接面２１２から遠くなる傾斜を有する平面である。
【００５６】
第１実施形態のリリースフック３１の先端部３１４は、グリップ部２１の突起２１３に形成された係合平面２１４と係合する面として、第１係合平面３１４２、第２係合平面３１４３を備えていた。これに対して、リリースフック３１Ａの先端部３１４Ａは、グリップ部２１Ａの突起２１３Ａに形成された第１係合平面２１６、第２係合平面２１７と係合する面として、１つの係合平面３１４５を備える。第２実施形態では、係合平面３１４５がロック側係合平面に相当する。また、リリースフック３１Ａは抑制部材に相当する。
【００５７】
係合平面３１４５は、キー抜き差し方向の位置が第１実施形態の第２係合平面３１４３と同じである。また、係合平面３１４５の面積は、第１実施形態の第１係合平面３１４２の面積と、第２係合平面３１４３の面積と、内側傾斜面３１４４を第２係合平面３１４３を含む平面に投影した面積を合計した面積の和と同じになっている。
【００５８】
［キー差し込み時の作動］
次に、メカニカルキー２０Ａをケース１０に差し込む際の作動を説明する。メカニカルキー２０Ａがケース１０に差し込まれていき、第１係合平面２１６と係合平面３１４５のキー抜き差し方向の位置が一致すると、図８に示すように、それら第１係合平面２１６と係合平面３１４５が係合する。これにより、メカニカルキー２０Ａのグリップ部２１Ａがケース１０から離隔する方向に移動することが抑制されているロック状態となる。
【００５９】
この図８に示す状態では、グリップ部２１Ａのケース当接面２１２とケース１０のグリップ対向面１１５との間に隙間が存在する。したがって、ケース当接面２１２とグリップ対向面１１５との間に、ゴミなどの異物が存在していても、ロック状態とすることができる。
【００６０】
図８に示す状態から、さらにメカニカルキー２０Ａがキー差し込み方向に移動すると、係合平面３１４５の端と連結面２１８が接触しつつ、係合平面３１４５の端が連結面２１８に接触する位置が、第２係合平面２１７の方向に移動する。
【００６１】
ケース当接面２１２とグリップ対向面１１５とが接触する状態になると、第２係合平面２１７と係合平面３１４５のキー抜き差し方向の位置が一致する。したがって、リリースフック３１Ａは図８の位置からさらにグリップ部２１Ａの方向に移動し、図９に示す状態となる。図９に示す状態では、第２係合平面２１７と係合平面３１４５とが接触する。この図９に示す状態もロック状態であり、図９に示す状態では、グリップ部２１Ａの先端がケース１０から突き出していないことから、図８の状態よりもデザイン性が向上する。
【００６２】
＜第３実施形態＞
第３実施形態の電子キー１Ｂの構成を図１０に示す。図１０は、第１実施形態における図２に対応する図である。ケース１０Ｂは、短壁部１１１Ｂ、１１２Ｂと、短壁部１１１Ｂ、１１２Ｂよりも長い長壁部１１３Ｂ、１１４Ｂを備える。これら、短壁部１１１Ｂ、１１２Ｂと長壁部１１３Ｂ、１１４Ｂ、および、底部１２０と底部１２０に対向する図示しない蓋部とにより形成される空間に、電子部品が収納される。なお、図１０でも電子部品は省略している。
【００６３】
メカニカルキー２０Ｂは、グリップ部２１Ｂと棒状部２２Ｂとを備える。グリップ部２１Ｂは樹脂製であり、棒状部２２Ｂは金属製である。棒状部２２Ｂは、基部がグリップ部２１Ｂに差し込まれている。
【００６４】
ケース１０Ｂの短壁部１１２Ｂから長壁部１１３Ｂにかけて、メカニカルキー２０Ｂの棒状部２２Ｂを収容する収容穴１３０Ｂが形成されている。収容穴１３０Ｂは、短壁部１１２Ｂの端面に開口を有する。
【００６５】
メカニカルキー２０Ｂの棒状部２２Ｂが収容穴１３０Ｂに収容された状態が、メカニカルキー２０Ｂがケース１０Ｂに収納された状態である。第２実施形態では、メカニカルキー２０Ｂがケース１０Ｂに収容された状態でも、グリップ部２１Ｂは、ケース１０Ｂから突き出している。棒状部２２が収容穴１３０Ｂに正常な位置まで収容された状態では、グリップ部２１の、棒状部２２が突き出している側の面であるケース当接面２１２Ｂが、短壁部１１２Ｂと接触する。
【００６６】
ケース１０Ｂの長壁部１１３Ｂには、収容穴１３０Ｂに連結してロック部収容空間１１６Ｂが形成されている。このロック部収容空間１１６Ｂにロック部３０Ｂが収容されている。ロック部３０Ｂは、抑制部材に相当するリリースフック３１Ｂと、バネ３２Ｂを備えている。
【００６７】
［ロック部３０Ｂの構成］
次にロック部３０Ｂの構成を図１１を用いて説明する。第３実施形態のリリースフック３１Ｂは揺動型であり、リリースフック３１Ｂの中心付近に位置し、揺動軸として機能する軸３５を揺動中心として揺動可能になっている。バネ３２Ｂはねじりコイルバネであり、一方の端部がロック部収容空間１１６Ｂの底に接しており、他方の端部がリリースフック３１Ｂの裏面３１１Ｂに形成された収容部３１２Ｂに収容されている。バネ３２Ｂの図示しないコイル部は軸３５に巻きつけられている。
【００６８】
収容部３１２Ｂは、リリースフック３１Ｂにおいて、キー抜き差し方向のグリップ部２１Ｂとは反対側の端に位置している。この収容部３１２Ｂにバネ３２Ｂの端が収容され、バネ３２Ｂのコイル部が軸３５に巻きつけられているので、リリースフック３１Ｂの収容部３１２Ｂがロック部収容空間１１６Ｂの底面から離隔する方向に、リリースフック３１Ｂは付勢されている。
【００６９】
リリースフック３１Ｂの、収容部３１２Ｂとは反対側の端部には、凸部３１３Ｂが形成されている。凸部３１３Ｂは、リリースフック３１Ｂの基部３１４Ｂから、ロック部収容空間１１６Ｂの底面方向に突き出している。
【００７０】
凸部３１３Ｂは、傾斜面３１５Ｂと、第１係合平面３１６Ｂと、第２係合平面３１７Ｂと、連結面３１８Ｂとを備えている。傾斜面３１５Ｂは、リリースフック３１Ｂの揺動角度によらず、キー抜き差し方向に対して傾斜している面であり、傾斜方向は、キー抜き差し方向がキー差し込み方向であるほど、ロック部収容空間１１６Ｂの底面に向かう方向である。なお、傾斜とは、水平でも垂直でもない角度である。
【００７１】
第１係合平面３１６Ｂと第２係合平面３１７Ｂは、いずれも、メカニカルキー２０Ｂの棒状部２２Ｂの先端に形成された係合平面２２１Ｂと係合する平面である。これら第１係合平面３１６Ｂおよび第２係合平面３１７Ｂは、リリースフック３１Ｂの回転角度により、メカニカルキー２０Ｂの棒状部２２Ｂの軸方向に対する角度が変化する。しかし、第１係合平面３１６Ｂおよび第２係合平面３１７Ｂともに、係合平面２２１Ｂと係合している位置において、キー抜き差し方向に垂直になる。
【００７２】
第１係合平面３１６Ｂは、第２係合平面３１７Ｂよりも、リリースフック３１Ｂの基部３１４Ｂに近い位置に形成されている。また、第１係合平面３１６Ｂと第２係合平面３１７Ｂとは、キー抜き差し方向の位置も異なる。第１係合平面３１６Ｂは、第２係合平面３１７Ｂよりも、キー抜き差し方向においてキー抜き取り方向、すなわち、収容穴１３０Ｂの、短壁部１１２Ｂの端面側の開口に近い位置に形成されている。
【００７３】
第１係合平面３１６Ｂと第２係合平面３１７Ｂは、いずれもフック部側係合平面であり、第１係合平面３１６Ｂと第２係合平面３１７Ｂの間にキー抜き差し方向の段差があるので、第３実施形態ではフック部側係合平面が段差平面構造になっている。
【００７４】
連結面３１８Ｂは、第１係合平面３１６Ｂと第２係合平面３１７Ｂとを連結する。メカニカルキー２０Ｂの棒状部２２Ｂの先端には、棒状部２２Ｂを軸に直交する方向に貫通する貫通穴２２２Ｂが形成されており、貫通穴２２２Ｂの側面の一部が係合平面２２１Ｂとなっている。係合平面２２１Ｂはキー側係合平面に相当しており、キー抜き差し方向、すなわち、棒状部２２Ｂの軸方向に垂直であり、棒状部２２Ｂの厚さ方向の全体に渡り形成されている。
【００７５】
［キー差し込み時の作動］
次に、メカニカルキー２０Ｂをケース１０Ｂに差し込む際の作動を説明する。メカニカルキー２０Ｂがケース１０Ｂに差し込まれていくと、メカニカルキー２０Ｂの棒状部２２Ｂの先端が、リリースフック３１Ｂの傾斜面３１５Ｂに接触する。さらにメカニカルキー２０Ｂがケース１０Ｂに差し込まれると、リリースフック３１Ｂの傾斜面３１５Ｂがメカニカルキー２０Ｂの棒状部２２Ｂの先端に押圧される。これにより、リリースフック３１Ｂは、軸３５を揺動中心として、凸部３１３Ｂの先端がロック部収容空間１１６Ｂの底面から離隔する方向に回転移動する。
【００７６】
この回転移動により、メカニカルキー２０Ｂの棒状部２２Ｂの先端は凸部３１３Ｂの先端を通過できる。メカニカルキー２０Ｂがさらにケース１０Ｂに差し込まれると、棒状部２２Ｂの先端部に形成されている係合平面２２１Ｂと、リリースフック３１Ｂに形成された第１係合平面３１６Ｂのキー抜き差し方向の位置が一致する。これにより、図１２に示すように、それら係合平面２２１Ｂと第１係合平面３１６Ｂが係合するので、メカニカルキー２０Ｂのグリップ部２１Ｂがケース１０Ｂから離隔する方向に移動することが抑制されているロック状態となる。
【００７７】
この図１２に示す状態におけるグリップ部２１Ｂの付近を図１３に示す。係合平面２２１Ｂと第１係合平面３１６Ｂが係合している状態では、図１３に示すように、グリップ部２１Ｂのケース当接面２１２Ｂと短壁部１１２Ｂとの間に隙間が存在する。したがって、ケース当接面２１２と短壁部１１２Ｂとの間に、ゴミなどの異物４が存在していても、ロック状態とすることができる。
【００７８】
図１２に示す状態から、さらにメカニカルキー２０Ｂがキー差し込み方向に移動すると、第２係合平面３１７Ｂと係合平面２２１Ｂのキー抜き差し方向の位置が一致する。したがって、リリースフック３１Ｂは図１２の回転位置から凸部３１３Ｂがロック部収容空間１１６の底面に近づく方向に回転移動し、図１１に示す状態となる。
【００７９】
図１１に示す状態では、第２係合平面３１７Ｂと係合平面２２１Ｂとが接触する。この図１１に示す状態もロック状態であり、図１１に示す状態では、リリースフック３１Ｂの表面３１９Ｂが、ケース１０Ｂの長壁部１１３Ｂから突き出していないことから、図１２の状態よりもデザイン性が向上する。
【００８０】
＜第４実施形態＞
第４実施形態の電子キー１Ｃの構成を図１４に示す。図１４は図１１に対応する図であり、図１４に示していない部分の構成は、第３実施形態の電子キー１Ｂと同じである。
【００８１】
電子キー１Ｃは、メカニカルキー２０Ｃの棒状部２２Ｃの先端部の構成と、ロック部３０Ｃが備えるリリースフック３１Ｃの凸部３１３Ｃの構成が、それぞれ、第３実施形態の棒状部２２Ｂ、凸部３１３Ｂと相違する。なお、リリースフック３１Ｃは抑制部材に相当する。
【００８２】
メカニカルキー２０Ｃの棒状部２２Ｃには、貫通穴２２２Ｃが、第３実施形態の貫通穴２２２Ｂと同じ位置に形成されている。第３実施形態では、貫通穴２２２Ｂに一つの係合平面２２１Ｂが形成されていた。これに対して、第４実施形態では、係合平面２２１Ｂに代えて、第１係合平面２２３Ｃ、第２係合平面２２４Ｃ、連結面２２５Ｃが形成されている。第１係合平面２２３Ｃと第２係合平面２２４Ｃは、いずれも、凸部３１３Ｃに形成された係合平面３１７Ｃと係合する平面である。これら第１係合平面２２３Ｃおよび第２係合平面２２４Ｃは、いずれも、キー抜き差し方向に垂直な平面、すなわち、棒状部２２Ｃの軸方向に垂直な平面である。
【００８３】
第１係合平面２２３Ｃは、第２係合平面２２４Ｃよりも、メカニカルキー２０Ｃがケース１０Ｂに差し込まれた状態でリリースフック３１Ｃの基部３１４Ｂに近い位置に形成されている。また、第１係合平面２２３Ｃと第２係合平面２２４Ｃとは、キー抜き差し方向の位置も異なる。第１係合平面２２３Ｃは、第２係合平面２２４Ｃよりも、キー抜き差し方向においてキー差し込み方向、すなわち、メカニカルキー２０Ｃの棒状部２２Ｃの先端に近い位置に形成されている。
【００８４】
第１係合平面２２３Ｃと第２係合平面２２４Ｃは、いずれもキー側係合平面であり、第１係合平面２２３Ｃと第２係合平面２２４Ｃの間にキー抜き差し方向の段差があるので、第４実施形態ではキー側係合平面が段差平面構造になっている。
【００８５】
連結面２２５Ｃは、第１係合平面３１６Ｂと第２係合平面３１７Ｂとを連結する平面であり、棒状部２２Ｃの先端に近くなるほど、リリースフック３１Ｃの基部３１４Ｂに近くなる傾斜を有する平面である。
【００８６】
リリースフック３１Ｃの凸部３１３Ｃには、係合平面３１７Ｃが形成されている。この係合平面３１７Ｃは、第３実施形態の凸部３１３Ｂに形成されていた第１係合平面３１６Ｂ、第２係合平面３１７Ｂ、連結面３１８に代えて設けられている。係合平面３１７Ｃはロック側係合平面に相当する。
【００８７】
［キー差し込み時の作動］
次に、メカニカルキー２０Ｃをケース１０Ｂに差し込む際の作動を説明する。メカニカルキー２０Ｃがケース１０Ｂに差し込まれていくと、メカニカルキー２０Ｃの棒状部２２Ｃの先端に形成されている第１係合平面２２３Ｃと、リリースフック３１Ｃの凸部３１３Ｃに形成された係合平面３１７Ｃのキー抜き差し方向の位置が一致する。これにより、図１５に示すように、それら係合平面３１７Ｃと第１係合平面２２３Ｃが係合するので、メカニカルキー２０Ｃのグリップ部がケース１０Ｂから離隔する方向に移動することが抑制されているロック状態となる。
【００８８】
この図１５に示す状態では、第３実施形態と同様、メカニカルキー２０Ｃのグリップ部とケース１０Ｂとの間に隙間が存在する。したがって、その隙間にゴミなどの異物が存在していても、ロック状態とすることができる。
【００８９】
図１５に示す状態から、さらにメカニカルキー２０Ｃがキー差し込み方向に移動すると、第２係合平面２２４Ｃと係合平面３１７Ｃのキー抜き差し方向の位置が一致する。したがって、リリースフック３１Ｃは図１５の回転位置から凸部３１３Ｃがロック部収容空間１１６の底面に近づく方向に回転移動し、図１４に示す状態となる。
【００９０】
図１４に示す状態では、第２係合平面２２４Ｃと係合平面３１７Ｃとが接触する。この図１４に示す状態もロック状態である。
【００９１】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【００９２】
＜変形例１＞
これまで説明した第１〜第４実施形態では、キー側係合平面とロック側係合平面の一方は、一つの平面のみの構成であった。しかし、キー側係合平面とロック側係合平面が、両方とも、複数の係合平面を備えていてもよい。
【００９３】
＜変形例２＞
これまで説明した第１〜第４実施形態において、段差平面構造となっている側の係合平面は、２つの係合平面を備えていたが、３つ以上の係合平面を備えていてもよい。
【符号の説明】
【００９４】
１、１Ａ、１Ｂ、１Ｃ：電子キー  ４：異物  １０、１０Ｂ：ケース  ２０、２０Ａ、２０Ｂ、２０Ｃ：メカニカルキー  ２１、２１Ａ、２１Ｂ：グリップ部  ２２、２２Ｂ、２２Ｃ：棒状部  ３０、３０Ａ、３０Ｂ、３０Ｃ：ロック部  ３１、３１Ａ、３１Ｂ、３１Ｃ：リリースフック  ３２、３２Ｂ：バネ  ３５：軸  １２０：底部  １３０、１３０Ｂ：収容穴  ２１２、２１２Ｂ：ケース当接面  ２１３、２１３Ａ：突起  ２１４：係合平面  ２１５：フック対向側面  ２１６：第１係合平面  ２１７：第２係合平面  ２１８：連結面  ２２１Ｂ：係合平面  ２２２Ｂ、２２２Ｃ：貫通穴  ２２３Ｃ：第１係合平面  ２２４Ｃ：第２係合平面  ２２５Ｃ：連結面  ３１１：中央部  ３１１Ｂ：裏面  ３１２：突起部  ３１２Ｂ：収容部  ３１３Ｂ、３１３Ｃ：凸部  ３１４、３１４Ａ：先端部  ３１４Ｂ：基部  ３１５Ｂ：傾斜面  ３１６Ｂ：第１係合平面  ３１７Ｂ：第２係合平面  ３１７Ｃ：係合平面  ３１８、３１８Ｂ：連結面  ３１１３：底面  ３１４２：第１係合平面  ３１４３：第２係合平面  ３１４４：内側傾斜面  ３１４５：係合平面
【図１】
0006536487.tif 000002
【図２】
0006536487.tif 000003
【図３】
0006536487.tif 000004
【図４】
0006536487.tif 000005
【図５】
0006536487.tif 000006
【図６】
0006536487.tif 000007
【図７】
0006536487.tif 000008
【図８】
0006536487.tif 000009
【図９】
0006536487.tif 000010
【図１０】
0006536487.tif 000011
【図１１】
0006536487.tif 000012
【図１２】
0006536487.tif 000013
【図１３】
0006536487.tif 000014
【図１４】
0006536487.tif 000015
【図１５】
0006536487.tif 000016